(57)【要約】  【課題】  装置の小型化を妨げることなく、ポリゴンミラーを回転駆動するモータ近傍に位置する磁界変動を生じさせる部品による当該モータの駆動への影響を抑制することのできる技術を提供する。  【解決手段】  光を走査して感光体の感光面上に走査パターンを形成するためのポリゴンミラーを駆動するモータと、前記感光面に対して進退可能な磁石を用いて前記感光面上にトナー像を形成する現像部と、前記モータと前記現像部の間の所定の領域に配置され、前記現像部の磁石による磁力の影響が前記モータに及ばないように遮蔽する磁性体とを有する。  【選択図】  図１
2007010936.tif 000002
【特許請求の範囲】
【請求項１】
光を走査して感光体の感光面上に走査パターンを形成するためのポリゴンミラーを駆動するモータと、
前記感光面に対して進退可能な磁石を用いて前記感光面上にトナー像を形成する現像部と、
前記モータと前記現像部の間の所定の領域に配置され、前記現像部の磁石による磁力の影響が前記モータに及ばないように遮蔽する磁性体と
を有する画像形成装置。
【請求項２】
請求項１に記載の画像形成装置において、
前記磁性体は、前記現像部の水平方向における位置が前記モータとは異なる場合に、少なくとも水平方向における前記現像部側に延びるように配置されている画像形成装置。
【請求項３】
請求項１に記載の画像形成装置において、
前記磁性体は、亜鉛メッキ鋼板またはクロムフリー鋼板から構成されている画像形成装置。
【請求項４】
請求項１に記載の画像形成装置において、
前記現像部は、前記磁石を所定の軸を回転中心として回転させることにより前記感光面に対して進退させるものである画像形成装置。
【請求項５】
請求項１に記載の画像形成装置において、
前記モータは、エア動圧軸受け方式またはオイル動圧軸受け方式である画像形成装置。
【発明の詳細な説明】
【技術分野】
【０００１】
本発明は、画像形成装置に関するものである。
【背景技術】
【０００２】
近年の画像形成装置は、小型化・胴内排紙化などにより機体内空間が狭まり、現像器（現像部）、クリーナユニットおよび書込み光学ユニットなどの各ユニットが近接して配置される構造になってきている。この書き込み光学ユニットに搭載されるポリゴンミラーを回転駆動するモータはボールベアリングタイプではなく、動圧軸受け方式のモータが主流となっている。
【０００３】
動圧軸受け方式のモータは、ポリゴンミラーを搭載したロータ部とコイル等が配置されたモータ本体側のステータ部からなっている。ロータ部とステータ部との間には数μｍ〜数十μｍ程度の空間があり、オイル動圧軸受け方式はオイルで満たされ、エア動圧軸受け方式は空気で満たされている。モータ回転時にはスラスト方向は磁力で、ラジアル方向はオイルまたはエアの圧力によりロータとステータは完全に非接触となっている。
【０００４】
一方、画像形成装置におけるカラー印刷を省スペースで実現するための構成として、シアン（Ｃ）、マゼンタ（Ｍ）、イエロー（Ｙ）の３色の現像器またはこれに黒を加えた４色の現像器をリボルバと呼ばれる回転体内に配置し、このリボルバを回転させることでカラー印刷を行う構成が知られる。
【発明の開示】
【発明が解決しようとする課題】
【０００５】
上述のように、近年の装置の小型化等の要請から、各ユニットは近接配置されているのが一般的であり、上述のリボルバのような現像部は、ポリゴンミラー等を備えた書き込み光学系の直上に配置されることが多い。
【０００６】
リボルバには、感光体の感光面上の静電潜像をトナーで現像する為のマグネットローラが配置されており、リボルバの回転時にはこれらマグネットローラが書き込み光学ユニット内のポリゴンミラー駆動用のモータの近傍を通過することになる。
【０００７】
上述のように、ポリゴンミラーの回転駆動には、動圧軸受け方式のモータが使用される場合が多いが、ロータとステータとの位置関係が機械的（例えばボールベアリングなどによって支持する等）に規制されている構成ではないため、磁界の変化等の影響を受けやすい。
【０００８】
このため、ポリゴンミラー駆動用のモータのロータを浮上させている磁力のバランスが、リボルバのマグネットローラの通過による磁界の変動により崩れ、ポリゴンミラーの回転にムラが発生したり、色ずれやブレといったノイズ画像が発生してしまう場合があった。
【０００９】
本発明は上述した問題点を解決するためになされたものであり、装置の小型化を妨げることなく、ポリゴンミラーを回転駆動するモータ近傍に位置する磁界変動を生じさせる部品による当該モータの駆動への影響を抑制することのできる技術を提供することを目的とする。
【課題を解決するための手段】
【００１０】
上述した課題を解決するため、本発明に係る画像形成装置は、光を走査して感光体の感光面上に走査パターンを形成するためのポリゴンミラーを駆動するモータと、前記感光面に対して進退可能な磁石を用いて前記感光面上にトナー像を形成する現像部と、前記モータと前記現像部の間の所定の領域に配置され、前記現像部の磁石による磁力の影響が前記モータに及ばないように遮蔽する磁性体とを有することを特徴とするものである。
【発明の効果】
【００１１】
以上に詳述したように本発明によれば、装置の小型化を妨げることなく、ポリゴンミラーを回転駆動するモータ近傍に位置する磁界変動を生じさせる部品による当該モータの駆動への影響を抑制することのできる技術を提供することができる。
【発明を実施するための最良の形態】
【００１２】
以下、本発明の実施の形態について図面を参照しつつ説明する。
【００１３】
図１は、本実施の形態による画像形成装置におけるポリゴンミラー周辺の構成を示す図である。
【００１４】
同図に示すように、本実施の形態による画像形成装置における書き込み光学ユニット１は、感光体３と、感光体３の感光面上での各色のトナーによる画像形成を実現するためのリボルバ２の下方に配置されている。
【００１５】
リボルバ（現像部）２は、感光体３の感光面に対して進退可能なマグネットローラ２０１ｃ〜２０１ｙ（磁石）を用いて感光面上にトナー像を形成する役割を有している。リボルバ２は、各マグネットローラを回転軸Ｐ（所定の軸）を回転中心として回転させることにより感光体３の感光面に対して進退させる。
【００１６】
レーザ光Ｌを走査して感光体３の感光面上に走査パターンを形成するためのポリゴンミラー１０２は、書き込み光学ユニット１の筐体内の上面に配置されている。同図に示す書き込み光学ユニット１では、ポリゴンミラー１０２は、書き込み光学ユニット１の筐体内の上面に配置されたエア動圧軸受け方式のモータＭによって回転駆動される構成となっている。
【００１７】
ポリゴンミラー１０２は、外部から電圧およびスタート/ストップ信号と回転指示クロックを入力されることにより、巻き線が励磁されクロックに応じた回転数で回転する。モータＭは、ある程度の回転数を超えると、ラジアル方向はエア動圧により支持され、スラスト方向はマグネットの磁力により支持され、完全非接触で回転する。
【００１８】
また、本実施の形態による画像形成装置は、モータＭとリボルバ２の間の所定の領域に配置される磁性体１０１を有している。
【００１９】
同図に示すように、モータＭが書き込み光学ユニット１の上方に配置される構成となっている関係上、リボルバ２に備えられたマグネットローラ２０１ｃ、２０１ｍおよび２０１ｙは、リボルバ２の回転時にモータＭに対して近接する（最短距離で約２０ｍｍまで近接）ことになる。なお、ここではリボルバ２の直径は１７０ｍｍ、感光体３の直径は９０ｍｍである。
【００２０】
図１ではシアンのトナーによる現像を行うマグネットローラ２０１ｃがモータＭに対して近接している様子を示しており、図２ではマグネットローラ２０１ｃがモータＭ近傍を通過し、続いてマグネットローラ２０１ｍがモータＭに対して近接しようとしている状態を示している。
【００２１】
図２の状態では、リボルバ２は回転を停止しており、感光体３に対してマグネットローラ２０１ｍの磁気ブラシの穂が接触してマゼンタのトナー像が形成される。
【００２２】
上述のように、マグネットローラ２０１ｃ〜２０１ｙが、モータＭの近傍を通過する場合、磁力をもったマグネットローラの移動による磁界の変動がモータの駆動に影響を及ぼすおそれがある。
【００２３】
そこで、本実施の形態では、磁性体１０１によって、リボルバ２のマグネットローラ２０１ｃ〜２０１ｙによる磁力の影響がモータＭに及ばないように遮蔽している。このように磁性体１０１を設けることにより、ポリゴンミラーを回転駆動するモータＭ近傍に例えばリボルバ２のような磁界の変動を生じさせるような部品が存在する場合における、当該部品によるモータＭの回転駆動への悪影響を回避することができる。
【００２４】
上述の磁性体１０１は、例えば亜鉛メッキ鋼板（ＳＥＣＣ）やクロムフリー鋼板等の磁性材料から構成されている。これにより、特に書き込み光学ユニット１の筐体が樹脂等の磁気シールド機能を有しない材料で形成されている場合でも、モータＭに磁界の変動の影響が及ばないようにすることができる。
【００２５】
なお、図１および図２に示すように、リボルバ２（現像部）の水平方向における位置がモータＭとは異なっているような場合に、磁性体１０１が少なくとも水平方向におけるリボルバ２の側に延びるように配置されていることが好ましい。図３に、磁性体１０１が筐体の外側に配置された書き込み光学ユニット１を上方から見た図を示す。ここでは、磁性体１０１はＡ〜Ｂの範囲に配置されており、長さｘは１００ｍｍ〜１２０ｍｍに設定されている。このような構成とすることにより、リボルバ２に備えられているマグネットローラの磁力が回り込むことによるモータＭへの影響を抑制することができる。
【００２６】
なお、本実施の形態では、モータＭが、エア動圧軸受け方式である例を示したが、これに限られるものではなく、例えばオイル動圧軸受け方式のモータなど、磁界の変動がその回転駆動に影響を及ぼすようなタイプのモータである場合に特に効果を奏する。
【００２７】
以上のように、本実施の形態によれば、ポリゴンミラーを回転駆動するモータの近傍に磁力変化を起こす物体または、それ自身の運動（動作）により擬似的に磁力変化を起こすユニットが配置された場合でも、その磁力変化によるモータへの悪影響を抑制することが可能となり、結果として色ずれ・ブレの少ない高品位な画質を提供することができる。
【００２８】
本発明を特定の態様により詳細に説明したが、本発明の精神および範囲を逸脱しないかぎり、様々な変更および改質がなされ得ることは、当業者には自明であろう。
【図面の簡単な説明】
【００２９】
【図１】本実施の形態による画像形成装置におけるポリゴンミラー周辺の構成を示す図である。
【図２】本実施の形態による画像形成装置におけるポリゴンミラー周辺の構成を示す図である。
【図３】磁性体１０１が筐体の外側に配置された書き込み光学ユニット１を上方から見た図である。
【符号の説明】
【００３０】
１  書き込み光学ユニット、１０１  磁性体、１０２  ポリゴンミラー、２  リボルバ、２０１ｃ〜２０１ｙ  マグネットローラ、Ｐ  回転軸、Ｍ  モータ、３  感光体。
【図１】
2007010936.tif 000003
【図２】
2007010936.tif 000004
【図３】
2007010936.tif 000005